(57)【要約】【課題】風向調整機能及び吹出空気の流量を低下させることなく、風向板の回動軸方向の端部の流速を上げる。【解決手段】設定された姿勢に保持された主風向板３０の風受け面側、かつ、主風向板３０の回動軸３１方向の端部に補助風向板３３を配置し、この補助風向板３３を、主風向板３０の回動軸３１方向の端部に向かって流れる空気の流れを設定方向に矯正する姿勢に保持することにより、当該端部の流速を上げ、この結果、吹出口２０から吹出す空気の流れに巻き込まれた室内空気が主風向板３０の裏面に接触することを避けることができ、主風向板３０の結露を抑制することができる。さらに、主風向板３０により吹出空気の風向を調整できるので、吹出した空気を直ちに吸込むことを防ぐことができるので空気調和機の暖房及び冷房能力の低下を抑制することができる。【選択図】　　　　図２
2004011955.tif 000002
【特許請求の範囲】
【請求項１】
吸込口及び吹出口が形成された筐体と、前記筐体内に設けられ冷媒と空気とを熱交換させる室内熱交換器と、前記筐体内に設けられ前記吸込口を介して前記筐体外から前記空気を吸込み前記室内熱交換器に送る送風機と、前記室内熱交換器を通流した前記空気を前記吹出口を介して前記筐体外に導く吹出流路と、
該吹出流路を通流する空気の通流方向に交差して配置され、該吹出流路を通流する空気を受け流す風受け面が形成された主風向板と、
該風受け面と該風受け面に対向する前記吹出流路の側壁との間の領域に配置され、前記吹出流路の空気の流れ方向を変える補助風向板とを備えた空気調和機の室内機。
【請求項２】
前記吹出流路を通流する空気の通流方向に交差して配置され前記主風向板を回動自在に軸支する回動軸と、
該回動軸を介して前記主風向板を回動させ前記主風向板を設定された姿勢に保持し、前記吹出口から吹出す前記空気の流れ方向を設定方向に制御する制御手段とを備え、
前記補助風向板は、前記主風向板の回動軸方向の端部に、かつ、該端部に向かって流れる前記空気の流れを前記設定方向に矯正する姿勢で配置されていることを特徴とする請求項１に記載の空気調和機の室内機。
【請求項３】
前記主風向板と前記補助風向板は、前記吹出流路を通流する空気の通流方向に直交する方向に並べて配置されていることを特徴とする請求項１または２に記載の空気調和機の室内機。
【請求項４】
前記補助風向板は、前記主風向板の風受け面に固定されていることを特徴とする請求項１乃至３のいずれか１項に記載の空気調和機の室内機。
【請求項５】
前記主風向板の回動軸に沿う方向に第２の回動軸を設け、該第２の回動軸により前記補助風向板が回動自在に軸支されていることを特徴とする請求項１乃至３のいずれか１項に記載の空気調和機の室内機。
【請求項６】
前記制御手段は、前記主風向板の姿勢または前記吹出口から吹出す前記空気の流れ方向に応じて前記補助風向板を回動させて姿勢を制御することを特徴とする請求項５に記載の空気調和機の室内機。
【請求項７】
前記第２の回動軸は、前記補助風向板の前記第２の回動軸に直交する方向の一方の先端部分を軸支し、
前記送風機から送風される前記空気の流量または該流量に相関する物理量を検出する検出器を備え、
前記制御手段は、前記検出器が検出した検出値が設定値より低い場合、前記補助風向板を回動させ、前記第２の回動軸から遠い他方の先端部分を前記主風向板の風受け面に対向する前記吹出流路の側壁に近づけることを特徴とする請求項５または６に記載の空気調和機の室内機。
【請求項８】
吸込口及び吹出口が形成された筐体と、前記筐体内に設けられ冷媒と空気とを熱交換させる室内熱交換器と、前記筐体内に設けられ前記吸込口を介して前記筐体外から前記空気を吸込み前記室内熱交換器に送る送風機と、前記室内熱交換器を通流した前記空気を前記吹出口を介して前記筐体外に導く吹出流路と、
該吹出流路に交差する回動軸により回動可能に軸支され、該吹出流路を通流する前記空気を風受け面で受け流す主風向板と、該主風向板を回動させて設定された姿勢に保持し、前記吹出口から吹出す前記空気の流れ方向を設定方向に制御する制御手段とを備え、
前記主風向板の回動軸方向の端部は、前記主風向板の回動軸方向の中央部より前記主風向板の風受け面側の前記吹出流路の壁に寄せて形成されていることを特徴とする空気調和機の室内機。
【請求項９】
前記主風向板の風受け面の裏面側、かつ、前記主風向板の回動軸方向の端部に配置され、前記空気の流れを前記設定方向に矯正する補助風向板とを備えた請求項８に記載の空気調和機の室内機。
【請求項１０】
請求項１乃至９のいずれか１項に記載の室内機と、前記室内熱交換器に通流する前記冷媒が封入される環状の冷媒循環流路と、前記冷媒を圧縮する圧縮機と、前記冷媒と外気とを熱交換させる室外熱交換器と、前記冷媒を減圧する膨張弁と、前記室内熱交換器とが順次設けられてなる冷凍サイクルを備えたことを特徴とする空気調和機。
【発明の詳細な説明】
【０００１】
【発明の属する技術分野】
本発明は、空気調和機及び空気調和機の室内機に係り、特に、空気の風向を変化させる風向板を備えた空気調和機の技術に関する。
【０００２】
【従来の技術】
空気調和機は、冷媒が封入された環状の冷媒循環流路に、冷媒を圧縮する圧縮機と、冷媒と室内の空気とを熱交換させる室内熱交換器と、冷媒を減圧する膨張弁と、冷媒と外気とを熱交換させる室外熱交換器とを順次配設してなる冷凍サイクルを備えている。この室内熱交換器は、室内熱交換器に室内の空気を送る送風機と共に室内機の筐体内に格納されている。
【０００３】
このような室内機は、例えば、室内の壁に掛ける壁掛けタイプや天井裏に格納される天井埋込カセットタイプなど様々な形態のものがあり、一般に、室内機の筐体には、吸込口と吹出口とが形成され、送風機によって吸込口から吸込んだ室内の空気（以下、室内空気と称する）を室内熱交換器で熱交換させ、吹出流路を介して吹出口から室内に供給する構造になっている。この吹出流路の出口部分、つまり吹出口部分には、通常、回動軸により回動可能に軸支された板状の風向板が渡されており、吹出口から吹出す空気（以下、吹出空気と称する）を風向板の風受け面、すなわち、吹出流路内の空気の流れに対向する面で受け流すことで空気の風向を調整できるようになっている。
【０００４】
このような室内機の冷房運転時、室内空気は、吹出空気の流れに巻き込まれて風向板の風受け面の裏側の面（以下、裏面と称する）すなわち、室内に向けて配置された面に接触し、風向板に結露を発生させるという問題がある。この巻き込まれた室内空気は、吹出空気の流速が遅いときほど風向板に接触し易いことが知られている。
【０００５】
また、吹出流路内を通流する空気の流速は、空気の流れる位置によってばらつきがあり、吹出流路の中央部分で比較的速く流れ、吹出流路の壁付近で比較的遅く流れる。このため、特に、吹出流路の壁付近に位置する風向板の回動軸方向の両端部は、結露が発生し易いという問題がある。
【０００６】
これに対して従来では、風向板の回動軸方向の両端部に貫通穴を形成し、吹出空気を風向板の風受け面から裏面に導通させることで、室内空気が風向板の裏面に接触することを防ぎ、風向板の結露を防ぐというものがある。また、特開平１１−１１８２３４号公報では、吹出流路内の一部を閉塞する閉鎖部材を設けることで、吹出流路内を流れる空気を風向板の回動軸方向の両端部に流し、室内空気が風向板の両端部に接触することを避けるというものが提案されている。
【０００７】
【発明が解決しようとする課題】
しかしながら、風向板に貫通穴を開けると風向板の本来の目的である吹出空気の風向調節機能が低下するという問題がある。この結果、例えば、吹出空気の風向を吸込口から遠ざけることができないので、吹出空気が室内を循環する前に吸込口から直接吸込まれてしまうショートサーキットと呼ばれる現象を抑制することができず、空気調和機の暖房及び冷房能力を低下させることになる。
【０００８】
また、特開平１１−１１８２３４号公報に記載の閉鎖部材を設ける構成は、吹出流路内の全体の空気の流れを阻害し吹出空気の流量を低下させるという問題がある。
【０００９】
そこで、本発明の課題は、風向調整機能及び吹出空気の流量を低下させることなく、風向板の回動軸方向の端部の流速を上げることにある。
【００１０】
【課題を解決するための手段】
本発明の空気調和機の室内機は、吸込口及び吹出口が形成された筐体と、筐体内に設けられ冷媒と空気とを熱交換させる室内熱交換器と、筐体内に設けられ吸込口を介して筐体外から空気を吸込み室内熱交換器に送る送風機と、室内熱交換器を通流した空気を吹出口を介して筐体外に導く吹出流路と、この吹出流路を通流する空気の通流方向に交差して配置され、この吹出流路を通流する空気を受け流す風受け面が形成された主風向板と、この風受け面とこの風受け面に対向する吹出流路の側壁との間の領域に配置され、吹出流路の空気の流れ方向を変える補助風向板とを備えることにより上記課題を解決する。
【００１１】
さらに、吹出流路を通流する空気の通流方向に交差して配置され主風向板を回動自在に軸支する回動軸と、この回動軸を介して主風向板を回動させ主風向板を設定された姿勢に保持し、吹出口から吹出す空気の流れ方向を設定方向に制御する制御手段とを備え、この補助風向板を主風向板の回動軸方向の端部に、かつ、この端部に向かって流れる空気の流れを設定方向に矯正するような姿勢で配置することを特徴とする。
【００１２】
すなわち、本発明は、主風向板の構造が、吹出流路を通流する空気を風受け面に衝突させて設定方向に流すものであることから、主風向板に向かって流れる空気の流れ方向を風受け面に沿う方向に矯正する補助風向板を設けることで、衝突による空気の流速の低下を抑制することができるようにしたものである。そして、この補助風向板を、主風向板の回動軸方向の端部に配置することにより、吹出空気の流量を低下させることなく、かつ、風向調整機能を保ったまま、当該端部のみの流速を上げることができる。言い換えれば、吹出空気の流速の分布をそろえることができる。この結果、吹出空気の流れに巻き込まれた室内空気が主風向板の裏面に接触することを避けることができるので、主風向板の結露の発生を抑制することができるとともに、風向調整機能や吹出空気の流量を低下させることがないので、空気調和機の暖房及び冷房能力を維持することができる。
【００１３】
また、本発明の空気調和機の室内機は、主風向板と補助風向板を、吹出流路を通流する空気の通流方向に直交する方向、つまり、吹出口の縁に沿う方向に並べて配置することができる。このように配置しても、主風向板の風受け面と風受け面側の吹出流路の側壁とに挟まれた部分の空気の流れを設定方向に矯正できるので、主風向板の結露の発生を抑制するとともに、空気調和機の暖房及び冷房能力の低下を抑制することができる。
【００１４】
また、本発明の空気調和機の室内機は、例えば、樹脂などで一体に成形、溶接、または接着などの方法で、補助風向板を主風向板の風受け面に固定する構成とすることができる。これにより、補助風向板が空気の流れを矯正する方向と、主風向板の風受け面により空気の流れを流す方向とを、常時一致させることができるので好ましい。
【００１５】
さらに、補助風向板を、主風向板の回動軸に沿う方向の第２の回動軸により回動自在に軸支する構成とすることができる。この場合において、制御手段は、主風向板の姿勢または吹出口から吹出す空気の流れ方向に応じて補助風向板を回動させて姿勢を制御するようにする。これにより、空気の流れ方向を任意に調整できるので好ましい。
【００１６】
この場合において、送風機から送られる空気の量が比較的少なく、十分な流速が得られないと、主風向板の回動軸方向の端部に結露が発生し易くなる。そこで、本発明の空気調和機の室内機は、送風機から送風される空気の流量またはこの流量に相関する、例えば送風機の回転数などの物理量を検出する検出器を備え、第２の回動軸は、補助風向板の第２の回動軸に直交する方向の一方の先端部分を軸支し、制御手段は、検出器が検出した検出値が設定値より低い場合、補助風向板を回動させ、第２の回動軸から遠い他方の先端部分を主風向板の風受け面に対向する吹出流路の側壁に近づけるように制御する構成とすることができる。これにより、補助風向板の風受け面側の空気の流路を狭くすることができ、主風向板の風受け面に沿って流れる空気の流速と裏面に沿って流れる空気の流速を上げることができる。この結果、主風向板に沿って吹出す吹出空気の流速を上げることができ、吹出空気の流れに巻き込まれた室内空気が主風向板に接触することを避けることができるので、吹出流路を通流する空気の流量が比較的少ない場合であっても結露の発生を防ぐことができる。
【００１７】
また、上記構成に代えて、本発明の空気調和機の室内機は、吸込口及び吹出口が形成された筐体と、筐体内に設けられ冷媒と空気とを熱交換させる室内熱交換器と、筐体内に設けられ吸込口を介して筐体外から空気を吸込み室内熱交換器に送る送風機と、室内熱交換器を通流した空気を吹出口を介して筐体外に導く吹出流路と、この吹出流路に交差する回動軸により回動可能に軸支され、この吹出流路を通流する空気を風受け面で受け流す主風向板と、この主風向板を回動させて設定された姿勢に保持し、吹出口から吹出す空気の流れ方向を設定方向に制御する制御手段とを備え、この主風向板の回動軸方向の端部は、主風向板の回動軸方向の中央部より主風向板の風受け面側の吹出流路の壁に寄せて形成することができる。これにより、風受け面側の空気の流路を狭くすることができるので、風受け面側を通流する空気の流速を上げることができ、裏面に沿って流れる空気の流速も上げることができる。この結果、吹出空気の流速を上げることができ、吹出空気の流れに巻き込まれた室内空気が主風向板に接触することを避けることができるので、結露の発生を防ぐことができる。
【００１８】
ここで、端部を主風向板の風受け面側の吹出流路の壁に寄せることで、主風向板の裏面側の空気の流れの風向を調整し難くなる場合があるので、主風向板の風受け面の裏面側、かつ、主風向板の回動軸方向の端部に、空気の流れを設定方向に矯正する補助風向板を配設することができる。これにより、主風向板の裏面側の空気の流れを設定方向に導くことができるので、風向調整機能の低下を抑制することができる。この場合において、補助風向板に結露が付くことを抑制するために、補助風向板は少なくとも主風向板より熱交換器側の吹出流路内に配置することが好ましい。
【００１９】
また、本発明は、上記室内機と、室内熱交換器に通流する冷媒が封入される環状の冷媒循環流路と、冷媒を圧縮する圧縮機と、冷媒と外気とを熱交換させる室外熱交換器と、冷媒を減圧する膨張弁と、室内熱交換器とが順次設けられてなる冷凍サイクルを備えた空気調和機に適用することができる。
【００２０】
【発明の実施の形態】
以下、本発明を適用してなる空気調和機及び空気調和機の室内機の一実施形態について図１〜図１０を参照して説明する。図１は、本発明を適用してなる空気調和機の室内機の一実施形態の断面を示した側面図である。図２は、本発明を適用してなる空気調和機の室内機の一実施形態の主風向板及び補助風向板を示した斜視図である。図３は、図１における主風向板及び補助風向板の配置と空気の流れを示した拡大断面図である。図４は、本発明を適用してなる空気調和機の室内機の一実施形態の主風向板及び補助風向板の変形例を示した斜視図である。図５は、図４における主風向板及び補助風向板の配置と空気の流れを示した拡大断面図である。図６は、本発明を適用してなる空気調和機の室内機の一実施形態の主風向板及び補助風向板の変形例を示した斜視図である。図７は、本発明を適用してなる空気調和機の室内機の一実施形態の主風向板及び補助風向板の変形例を示した斜視図である。図８は、図７において補助風向板の姿勢を制御した場合の主風向板及び補助風向板の配置と空気の流れを示した拡大断面図である。図９は、本発明を適用してなる空気調和機の室内機の一実施形態の主風向板の変形例を示した斜視図である。図１０は、本発明を適用してなる空気調和機の室内機の一実施形態の主風向板及び補助風向板の変形例を示した斜視図である。
【００２１】
本実施形態の空気調和機は、図１に示す天井埋め込みタイプの室内機１を備え、室内熱交換器３に通流する冷媒が封入される図示していない環状の冷媒循環流路と、冷媒を圧縮する図示していない圧縮機と、冷媒と外気とを熱交換させる図示していない室外熱交換器と、冷媒を減圧する図示していない膨張弁と、室内熱交換器３とが順次設けられてなる図示していない冷凍サイクルを備えて構成されている。そして、例えば暖房運転時、圧縮機により圧縮された冷媒が、室内熱交換器３に導かれ、冷房運転時、圧縮機により室内熱交換器３内の冷媒が吸引されるようになっている。
【００２２】
このような構成の空気調和機の室内機１の構成について説明する。図１に示すように、室内機１は、主として、冷媒と空気とを熱交換させる伝熱管が平面状に配列されてなる例えば４つの室内熱交換器３と、室内熱交換器３に空気を送る遠心式の送風機５と、下面を切除して形成された、つまり底が抜けた格好に形成された直方体または立方体の箱型の筐体７とで構成されている。室内熱交換器３と送風機５とは筐体７の内部に格納され、送風機５は筐体７の中央部分に配置され、室内熱交換器３は送風機５の４方の側面を囲うように配置されている。また、室内熱交換器３は筐体７の側壁内面から一定の間隔を空けて配置され、室内熱交換器３と筐体７の側壁内面により吹出流路８が形成されている。送風機５は、ターボファン９と、ターボファン９を回転駆動させるファンモータ１１とで形成され、ファンモータ１１は回転軸の先端を下向きに向けて筐体７の天井の下面から吊り下げられている。ファンモータ１１は、ターボファン９が回転軸の先端側の空気を回転軸の基端側へ導くようにターボファン９を回転させる構造になっている。
【００２３】
各室内熱交換器３の上端はそれぞれ筐体７の天井の下面に連結されている。室内熱交換器３の下方には、室内熱交換器３に沿うようにドレンパン１３が配置されている。ドレンパン１３は、室内熱交換器３で発生した例えばドレン水などを受けて図示していない排出口へ導く溝が形成されており、ドレンパン１３の溝の底は室内熱交換器３の下端に連結されている。
【００２４】
筐体７の下端は、天井１５に形成された開口の縁部分に取り付けられ、天井１５の開口は、この天井１５の開口部分より大きい板状の化粧パネル１７によって塞がれている。化粧パネル１７の上面はドレンパン１３の下端に連結されており、天井１５の開口の縁部分の下面側に当接して配置されている。化粧パネル１７は、吸込口１９及び吹出口２０の２種類の開口が形成されている。
【００２５】
吸込口１９は、ドレンパン２３に囲まれた部分、すなわち、送風機５の直下である中央部分に１個所形成されている。吸込口１９には、例えば網状または柵状に形成され空気が通流可能なグリル２３が嵌め込まれており、グリル２３は、空気中の例えば塵や埃などの固体粒子を捕集するフィルタ２５を保持するようになっている。グリル２３の上面には、ラッパ口状のベルマウス２７の下端が連結されており、グリル２３及びフィルタ２５を通流した室内の空気を送風機５のターボファン９に導くようになっている。なお、ベルマウス２７の上端は下端より縮径して形成されている。
【００２６】
一方、吹出口２０は、ドレンパン１３が連結された位置と筐体７の下端とに挟まれた位置に形成され、各吹出口２０は、それぞれ筐体７の側壁の面に沿うように、すなわち、ドレンパン１３の延在方向に沿うように延在させて形成されている。ここで、吹出口２０を形成する化粧パネル１７の開口の縁のうち、吸込口１９方向の縁を内縁部２１、内縁部２１に対向する吹出口２０の縁を外縁部２２と称する。この内縁部２１は、下にいくにつれて徐々に外縁部２２側にせり出して形成され、外縁部２２は内縁部２１の形状に合わせるように、下にいくにつれて徐々に内縁部２１から外縁部２２の方向へにげて形成されている。つまり、吹出口２０から吹出す空気が外縁部２２側に向くように形成されている。なお、本実施の形態の室内機１では、吹出口２０を４個所に形成した構成であるが、図１においては、そのうちの２個所しか図示していない。
【００２７】
次に、本実施の形態の特徴部である風向板の構造及び配置について説明する。吹出口２０は、図１及び図２に示すように、吹出口２０の延在方向に沿う方向（図１の２つの吹出口においては紙面方向）に延在する主風向板３０及び補助風向板３３が設けられている。主風向板３０は、吹出口２０の延在方向に沿う方向（以下、回動軸３１方向と称する）に設けられた回動軸３１により軸支されている。回動軸３１は、図示していない例えばステッピングモータなどの回動駆動手段に連結されて、回動自在になっている。制御手段であるこの回動駆動手段は、図示していない制御装置からの入力される制御信号により駆動するようになっている。また、主風向板３０は、回動軸３１方向から見て内縁部２１側の端部が、外縁部２２側の端部より上に、つまり上流側に位置するように保持されている。この姿勢において、内縁部２１側の端部と外縁部２２側の端部とは、主風向板３０の風受け面、つまり上面側に反って形成され、主風向板３０の回動軸３１方向断面は湾曲した板状に形成されている。
【００２８】
補助風向板３３は、それぞれの吹出口２０に各２個設けられ、主風向板３０の回動軸３１方向の端部にそれぞれ配置されている。補助風向板３３の回動軸３１方向の長さは、少なくとも主風向板３０の半分より短く形成し、本実施の形態では、例えば１／６の長さとしている。補助風向板３３の回動軸３１方向の両端は外縁部２２から一定の間隔を空けて突設された２本の突起部３５の先端に固定されている。また、補助風向板３３は、主風向板３０と同様に、回動軸３１方向から見て内縁部２１側の端部が、外縁部２２側の端部より上に、つまり上流側に位置する姿勢で固定されている。補助風向板３３は、補助風向板３３の内縁部２１側の端部が、主風向板３０の外縁部２２側の端部と同じ位置になるように配置されている。さらに、この姿勢において、内縁部２１側の端部と外縁部２２側の端部は、補助風向板３３の風受け面である上面側に反って形成され、補助風向板３３の回動軸３１方向断面は湾曲した板状に形成されている。
【００２９】
このように構成された本実施形態の空気調和機の室内機１の動作について説明する。空気調和機の運転、例えば冷房運転が開始されると、図示していない圧縮機は室内熱交換器３内の冷媒を吸引して図示していない室外熱交換器に吐出し、冷凍サイクル内に冷媒を循環させる。一方、室内機１の図示していない制御装置は、ファンモータ１１にターボファン９を回転駆動させる信号を出力し、ターボファン９を回転させる。これにより、室内空気の流れは、図１の符号３７を付した矢印で示すように、吸込口１９からグリル２３及びフィルタ２５を介して筐体７内に流れ込み、室内熱交換器３に送られる。そして、室内熱交換器３に送られた空気は、室内熱交換器３の伝熱管内を通流する冷媒と熱交換して熱を奪われ、吹出流路８内を通流して、吹出口２０から室内に供給される。
【００３０】
このときの吹出口２０における主風向板３０の回動軸３１方向の両端部の空気の流れは、図３に示すように、補助風向板３３の風受け面により外縁部２２側に矯正された流れ３７ａと、主風向板３０の風受け面により外縁部２２側に矯正された流れ３７ｂと、主風向板３０の裏面と内縁部２１との間の流れ３７ｃの３つに分かれて、吹出口２０から室内に供給される。
【００３１】
このように、補助風向板３３を主風向板３０の回動軸３１方向の両端部に設けることで、主風向板３０に向かって流れる空気の流れ方向を主風向板３０の風受け面に沿う方向に矯正することができ、主風向板３０の風受け面に空気が衝突することによる空気の流速の低下を抑制することができる。これにより、主風向板３０の回動軸３１方向の端部の流速を上げることができるので、吹出空気の流れに巻き込まれた室内空気が主風向板３０の裏面に接触することを避けることができ、主風向板３０の結露の発生を抑制することができる。さらに、風向調整能力を犠牲にして結露の発生を抑制する従来の構成に比べて、空気調和機の暖房及び冷房能力の低下を抑制することができる。
【００３２】
以下に、本発明を適用してなる室内機１の変形例を列挙して説明する。上述した実施の形態では、補助風向板３３は、補助風向板３３の内縁部２１側の端部が、主風向板３０の外縁部２２側の端部と同じ位置になるように配置しているが、本発明において補助風向板３３は、吹出流路８を通流する空気の流れを主風向板３０の風受け面に沿う方向に矯正できればよく、吹出流路８内の任意の位置に配置することができる。例えば、図４及び図５に示すように、補助風向板３３の内縁部２１側の端部が、主風向板３０の内縁部２１側の端部と同じ位置になるように配置することができる。
【００３３】
また、上記実施の形態では、補助風向板３３を外縁部２１に固定した構成としているが、これに代えて、図６に示すように、一定の間隔を空けて主風向板の風受け面から突設された突起部３６の先端に、補助風向板３３の両端を連結して固定する構成とすることができる。これにより、主風向板３０の回動に伴なって補助風向板３３も回動させることができるので、補助風向板３３が空気の流れを矯正する方向と、主風向板３０の風受け面により空気の流れを流す方向とを、常時一致させることができるので好ましい。
【００３４】
さらに、上記実施の形態では、補助風向板３３を固定した構成としているが、図７に示すように、補助風向板３３を、主風向板３０の回動軸３１方向に沿う方向の第２の回動軸３９により回動自在に軸支する構成とすることができる。この場合において、回動軸３９は、図示していない例えばステッピングモータなどの回動駆動手段に連結されて、回動自在になっている。また、制御手段であるこの回動駆動手段は、図示していない制御装置からの入力される制御信号により駆動するようになっている。これにより、補助風向板によって矯正される空気の流れ方向を任意に調整できるので好ましい。
【００３５】
また、この場合において、送風機５から送られる空気の量が比較的少なく、十分な流速が得られないと、主風向板の回動軸方向の端部に結露が発生し易くなる。そこで、送風機５から送風される空気の流量またはこの流量に相関する物理量を検出する図示していない検出器を備え、第２の回動軸３９は、補助風向板３３の内縁部２１側の先端部分４１を軸支し、図示していない制御手段は、検出器が検出した検出値が設定値より低い場合、補助風向板３３を回動させ、図８に示すように、第２の回動軸３９から遠い方の補助風向板３３の外縁部２２側の先端部分４２を外縁部２２側に近づけるように制御する。
【００３６】
これにより、外縁部２２と補助風向板３３の風受け面との間を狭くすることができ、主風向板３０の風受け面に沿って流れる空気の流速と裏面に沿って流れる空気の流速とを上げることができる。この結果、空気の流れ３７ａを減らして、その減らした分の空気を３７ｂに流すことができる。このため、吹出空気の流速を上げることができ、吹出空気の流れに巻き込まれた室内空気が主風向板３０の裏面に接触することを避けることができるので、結露の発生を防ぐことができる。
【００３７】
また、上記実施の形態では、主風向板３０を湾曲した板状としたが、これに代えて、図９に示すように、回動軸３１方向の両端部４３を、回動軸３１方向の中央部４５より外縁部２２側に寄せて形成された主風向板４７とすることができる。
これにより、両端部４３の風受け面側の空気の流路を狭くすることができるので、裏面に沿って流れる空気の流量を増やして流速を上げることができる。この結果、吹出空気の流れに巻き込まれた室内空気が主風向板４７の両端部４３の裏面に接触することを避けることができるので、結露の発生を防ぐことができる。
【００３８】
ここで、両端部４３を外縁部２２側に寄せることで、両端部４３の裏面側の空気の流れの風向を調整し難くなる場合があるので、図１０に示すように、両端部４３の裏面側に、空気の流れを設定方向に矯正する補助風向板４９を配設することができる。これにより、両端部４３の裏面側の空気の流れを設定方向に導くことができるので、風向調整機能の低下を抑制することができる。この場合において、補助風向板４９の裏面に結露が付くことを抑制するために、補助風向板４９の外縁部２２側の端部は少なくとも主風向板４７の外縁部２２側の端部より室内熱交換器３側の吹出流路８内に配置することが好ましい。
【００３９】
また、上記実施の形態では、各吹出口２０に、主風向板３０を１枚づつ設けた構成としているが、これに限らず、複数枚設けることができる。また、補助風向板３３の長さを主風向板３０の１／６としたが、これに限らず、空気の流速の分布に応じて任意の長さにすることができる。また、送風機５は、遠心式としたが室内空気を吸込口１９から室内熱交換器３へ送ることができれば、どのようなタイプの送風機を用いてもよい。なお、上記実施の形態では、補助風向板３３を主風向板３０の両端近傍に設けている例について示したが、結露しやすい一方の端部近傍にのみ設けてもよい。また、各々の補助風向板３３の角度は異なってもよい。さらに、複数の吹出口２０を備えた空気調和機の室内機では、結露しやすい一部の吹出口のみに補助風向板３３を設けてもよい。また、天井埋込みカセット型の室内機について説明しているが、他の形状の空気調和機の室内機にも適用できる。
【００４０】
【発明の効果】
本発明によれば、風向調整機能及び吹出空気の流量を低下させることなく、風向板の回動軸方向の端部の流速を上げることができる。この結果として、風向板の結露の発生を防止するとともに、空気調和機の暖房及び冷房能力の低下を抑制することができる。
【図面の簡単な説明】
【図１】本発明を適用してなる空気調和機の室内機の一実施形態の断面を示した側面図である。
【図２】本発明を適用してなる空気調和機の室内機の一実施形態の主風向板及び補助風向板を示した斜視図である。
【図３】図１における主風向板及び補助風向板の配置と空気の流れを示した拡大断面図である。
【図４】本発明を適用してなる空気調和機の室内機の一実施形態の主風向板及び補助風向板の変形例を示した斜視図である。
【図５】図４における主風向板及び補助風向板の配置と空気の流れを示した拡大断面図である。
【図６】本発明を適用してなる空気調和機の室内機の一実施形態の主風向板の変形例を示した斜視図である。
【図７】本発明を適用してなる空気調和機の室内機の一実施形態の主風向板及び補助風向板の変形例を示した斜視図である。
【図８】図７において補助風向板の姿勢を制御した場合の主風向板及び補助風向板の配置と空気の流れを示した拡大断面図である。
【図９】本発明を適用してなる空気調和機の室内機の一実施形態の主風向板及び補助風向板の変形例を示した斜視図である。
【図１０】本発明を適用してなる空気調和機の室内機の一実施形態の主風向板及び補助風向板の変形例を示した斜視図である。
【符号の説明】
２０　吹出口
３０　主風向板
３１　回動軸
３３　補助風向板
【図１】
2004011955.tif 000003
【図２】
2004011955.tif 000004
【図３】
2004011955.tif 000005
【図４】
2004011955.tif 000006
【図５】
2004011955.tif 000007
【図６】
2004011955.tif 000008
【図７】
2004011955.tif 000009
【図８】
2004011955.tif 000010
【図９】
2004011955.tif 000011
【図１０】
2004011955.tif 000012